(57)【要約】ビデオ再生装置、特に、迅速かつ正確に所望のビデオ映像を再生する装置、方法及び再生プログラムを提供する。前記装置等は、所定のビデオ再生位置からのビデオ再生要求を受信する手段と、ビデオ再生要求を受信した場合に、所定のビデオ再生位置より所定時間離れた位置から所定のビデオ再生位置まで、ビデオを所定の速度で再生又は逆再生を行う手段とを備える。
2010539746.tif 000002
【特許請求の範囲】
【請求項１】
（ａ）所定のビデオ再生位置からのビデオ再生要求を受信する手段と、
（ｂ）前記ビデオ再生要求を受信した場合に、前記所定のビデオ再生位置より所定時間離れた位置から前記所定のビデオ再生位置まで、ビデオを所定の速度で再生又は逆再生を行う手段と、
を備える、ビデオ再生装置。
【請求項２】
前記所定時間離れた位置が、前記所定のビデオ再生位置より所定時間経過した位置であり、前記所定のビデオ再生位置までビデオを所定の速度で逆再生を行う、請求項１記載のビデオ再生装置。
【請求項３】
前記所定時間離れた位置が、前記所定のビデオ再生位置より所定時間遡った位置であり、前記所定のビデオ再生位置までビデオを所定の速度で再生を行う、請求項１記載のビデオ再生装置。
【請求項４】
前記所定の速度で行われる再生又は逆再生が、映像再生速度の変化による高速再生又は高速逆再生である、請求項３記載のビデオ再生装置。
【請求項５】
前記所定の速度で行われる再生又は逆再生が、再生画像の間引きによる高速再生又は高速逆再生である、請求項３記載のビデオ再生装置。
【請求項６】
前記所定の速度が、前記所定のビデオ再生位置と再生中のビデオ再生位置又はビデオ逆再生位置との差に応じて変化する、請求項１記載のビデオ再生装置。
【請求項７】
前記所定の速度が、前記所定のビデオ再生位置と再生中のビデオ再生位置又はビデオ逆再生位置との差が小さくなるにつれて遅くなる、請求項１記載のビデオ再生装置。
【請求項８】
（ａ）所定のビデオ再生位置からのビデオ再生要求を受信するステップと、
（ｂ）前記ビデオ再生要求を受信した場合に、前記所定のビデオ再生位置より所定時間離れた位置から前記所定のビデオ再生位置まで、ビデオを所定の速度で再生又は逆再生を行うステップと、
を含む、ビデオ再生方法。
【請求項９】
（ａ）所定のビデオ再生位置からのビデオ再生要求を受信するステップと、
（ｂ）前記ビデオ再生要求を受信した場合に、前記所定のビデオ再生位置より所定時間離れた位置から前記所定のビデオ再生位置まで、ビデオを所定の速度で再生又は逆再生を行うステップと、
をコンピュータに実行させる、ビデオ再生プログラム。
【発明の詳細な説明】
【技術分野】
【０００１】
本発明は、ビデオ再生装置、特に、迅速かつ正確に所望の位置からビデオ映像を再生する装置及び方法に関する。
【背景技術】
【０００２】
ビデオ再生装置により動画を再生・編集する際、再生用にキュー・アップするとき、再生する範囲の先頭の映像が出力される。ここで、キュー・アップとは、一般に再生準備のための頭出し操作のことを言う。ところが、例えば、スポーツの試合、報道映像、コンサート、監視映像等を収録した場合には、当該先頭の映像とよく似た映像が複数個所に収録されている場合があり、特に再生映像がそのままテレビ放映される同時中継等の場合には、映像再生操作を行う操作員には、出力されている映像が本当に目的の動画の先頭の映像であるか確証が持てない場合がある。
【０００３】
このような場合、キュー・アップされたビデオ映像が、所望の動画の先頭であるか否かを調べるには、一度再生して続きの映像を再生した後、再度キュー・アップする必要があった。
【０００４】
しかしながら、動画を再生してプレビュー機能等を用いて下見するには余計な手間と時間がかかり、適時適切なタイミングで所望の映像を再生することは困難である。下見時に通常よりも速く再生することにより動画の下見に必要な時間を短縮することは可能であるが、再生速度が速くなるにつれて視認性が低下するという問題がある。高速再生時の視認性を向上させ、所望の映像の発見を容易にする技術は、特開平８−７０４３０号公報等に記載されている。前記公報記載の技術は、表示画面上に高速再生時の映像を分割映像として順番に表示することにより視認性を向上させ、所望の映像の頭出しを行うものである。
【０００５】
しかしながら、前記特許文献の技術では、一度記録した映像の中から、トラック・ジャンプを繰り返すことにより映像を抽出、縮小処理して画面に分割表示するものであるため、スポーツ中継等長時間にわたり動画を記録しつつ、所望の映像を再生（リプレイ）することは不可能であった。ここで、トラック・ジャンプとは、光ディスク等の記憶媒体に記録されたデータを再生する際に、光学ヘッド等のデータ読み取り手段を記録媒体であるディスクの外周方向又は内周方向に数トラック移動させる操作を言う。また、前記公報記載の技術では、所望の画像を検索する際に、記録された画像全体をいったん読み込まなくてはならず、処理時間がかかる外、トラック・ジャンプにより映像を抽出するため、本来であればリプレイの対象となるべき価値を有する映像が一覧画面に表示されず、リプレイの機会を逸してしまうという懸念があった。
【発明の概要】
【発明が解決しようとする課題】
【０００６】
このように、上記の特許文献の技術では、長時間の映像を記録しつつ、所望の映像を迅速かつ確実にキュー・アップを行うことができない。
【０００７】
したがって、本発明では、上記課題にかんがみ、迅速かつ確実にキュー・アップにより出力された映像が、所望の映像であることの確認を容易にするビデオ再生装置及び方法を提供することを目的とする。
【課題を解決するための手段】
【０００８】
前記の目的を達成するため、本発明は、所定のビデオ再生位置からのビデオ再生要求を受信する手段と、
ビデオ再生要求を受信した場合に、所定のビデオ再生位置より所定時間離れた位置から所定のビデオ再生位置まで、ビデオを所定の速度で再生又は逆再生を行う手段と、
を備えることを特徴とする。
【０００９】
本発明について、さらに詳しく述べると、次のとおりである。
【００１０】
本発明が有する所定のビデオ再生位置からのビデオ再生要求を受信する手段は、映像再生操作を行う操作員等により映像記録中にあらかじめ入力されたマーク点が、ビデオ再生位置として設定されることにより、映像が記録された記録手段から当該ビデオ再生位置のビデオ映像を読み込み再生するための信号を受信する。ここで「マーク点」とは、収録時刻又はフレーム数により指定された時間軸上の位置を言う。前記映像上の位置は、相対位置でもよい。ここで「映像」はビデオ画像等一連の動画だけでなく、音声データを含むことができ、かつ連続する複数の静止画を含むことができる。ここで記録手段は、サーバ、ＤＶＤレコーダー、ＣＤレコーダー、ビデオレコーダー、ハードディスク・レコーダーの他、いかなる映像記録装置でよく、通常は映像再生機能も有する。また、ここでビデオを再生する手段は、サーバ、ＤＶＤプレーヤー、ＣＤプレーヤー、ビデオプレーヤーの他いかなる再生装置でもよく、前記記録装置と前記再生装置との複合機でもよい。
【００１１】
ビデオ再生要求を受信した場合に、所定のビデオ再生位置より所定時間離れた位置から所定のビデオ再生要求位置まで、ビデオを所定の速度で再生又は逆再生を行う手段は、ビデオ再生要求を受信後、所定のビデオ再生位置より所定時間経過した位置までの映像を記録手段から読み込み、所定の速度で再生するか、所定のビデオ再生位置より所定時間遡った位置までの映像を前記記録手段から読み込み、所定の速度で逆再生する。所定時間経過した又は遡った位置及び再生・逆再生速度は、操作の必要に応じて設定及び変更することができる。また、再生・逆再生の選択についても、操作員の所望により選択することができる。ここで、再生とは通常の速度による再生の他、スロー再生、高速再生、コマ送り再生を含み、例えば、０．５倍（ｘ０．５）、１倍（ｘ１）、３倍（ｘ３）又は５倍（ｘ５）の速さを含む。逆再生とは通常の速度による逆再生の他、スロー逆再生、高速逆再生、コマ送り逆再生を含み、例えば、―０．５倍（ｘ０．５）（「―」はマイナスを表す。）、―１倍（ｘ１）、―３倍（ｘ３）又はー５倍（ｘ５）の速さを含む。再生・逆再生の速度も所望の値に設定することが可能であり、高速再生又は高速逆再生を行う場合には、映像再生・逆再生速度の変化によっても、再生・逆再生映像の間引きによってもよい。
【００１２】
前記所定の速度は、一定でも良い。その代わりに、所定のビデオ再生位置と再生中のビデオ再生位置又はビデオ逆再生位置との位置や時間の差に応じて変化してもよく、例えば、前記の時間差が小さくなるにつれて所定の速度が遅くなってもよい。これにより、操作員はビデオ再生又は逆再生中に所定のビデオ再生位置が近づいてくることを確認することが可能になり視認性、操作性が向上する。また、再生・逆再生はいつでも中止可能であり、キュー・アップ位置を誤った場合の再キュー・アップも位置調整も容易に実施することができる。
【００１３】
なお、本発明は、別の態様として前記各手段にそれぞれ対応する処理ステップを含む、ビデオ再生方法又はビデオ再生プログラムによっても実現できる。
【発明の効果】
【００１４】
本発明により、迅速かつ確実にキュー・アップにより出力された映像が所望の映像であることの確認を容易に実施することができる。
【図面の簡単な説明】
【００１５】
【図１】本発明の一実施形態にかかるビデオ再生システム構成図の一例を示す図である。
【図２】本発明の一実施形態にかかるビデオ再生システムの機能構成図の一例を示す図である。
【図３】本発明の一実施形態にかかるビデオ再生システムのハードウエア構成図の一例を示す図である。
【図４】本発明の一実施形態にかかる編集用画面の表示例である。
【図５】本発明の一実施形態にかかる映像表示手段の一例である。
【図６】本発明の一実施形態にかかるマーク点の表示例である。
【図７】本発明の一実施形態にかかる実施例を示す機能ブロック図である。
【図８】本発明の一実施形態にかかる一実施例を示すフローチャートである。
【図９】本発明の一実施形態にかかる別の実施例を示すフローチャートである。
【図１０】本発明の一実施形態にかかる原理の一実施例を示す概略図である。
【図１１】図１０の概念を示す模式図である。
【図１２】図１１と逆の概念を示す模式図である。
【図１３】本発明の一実施例における画面の表示例である。
【図１４】本発明の別の実施例における画面の表示例である。
【図１５】本発明のさらに別の実施例における画面の表示例である。
【発明を実施するための形態】
【００１６】
本発明を実施するための最良の形態について、図面を参照して、以下に説明する。
【００１７】
図１は、本発明の一実施形態にかかるビデオ再生システム構成図の一例を示す図である。前記ビデオ再生システムは、映像を記録・再生する映像記録手段１１０、編集制御手段１３０、編集用コンピュータ１８０及び映像表示手段１２０を含む。ここで、映像記録手段は少なくとも１系統の入力手段１０１と、単数又は複数、例えば３系統の出力手段１７０を有しており、前記記録手段を単独で運用すれば少なくとも３種類の映像を出力することが可能である。また、前記記録手段を複数で運用すれば、複数の入力系統に対し、複数の出力系統を利用することが可能になり、特にコンサート又はスポーツ中継等多元中継が行われる際に、多角的かつ臨場感ある映像を提供することができる。編集用コンピュータ１８０と映像記録手段１１０とは、ＬＡＮ（ローカル・エリア・ネットワーク）、ＲＳ−４２２Ａ、ＲＳ−２３２Ｃ等の有線又は無線ネットワーク１５０により接続することができる。編集制御手段１３０と編集用コンピュータ１８０とは、ＲＳ−４２２Ａ、ＵＳＢ（ユニバーサル・シリアル・バス）等いかなる接続手段１６０によっても接続することができる。映像表示手段１２０と映像記録手段１１０とは、ビデオ・ケーブル等有線及び無線を含むいかなる映像伝送手段１４０によっても接続することができる。編集用コンピュータ及び映像表示手段は、一つの映像記録手段１００に一台ずつ接続して使用することも、複数台接続して使用することもできる。複数台の編集用コンピュータ及び複数台の映像表示手段を接続して運用した場合には、前記の映像記録手段の複数台同時運用に加え、さらに、複数の映像を編集して表示することが可能になる。
【００１８】
図２は、本発明の一実施形態にかかるビデオ再生システムの機能構成図の一例を示す図である。図２では、映像記録手段としてビデオ・サーバを採用した例について記載する。
【００１９】
本発明にかかるビデオ再生システムは、ビデオ・サーバ２１０、入出力モニタ２０１、ユーザー・インターフェイス制御部２２０、モーション・コントローラ２３０及びＧＵＩ（グラフィカル・ユーザー・インターフェイス）２４０から構成される。
【００２０】
ビデオ・サーバ２１０は、映像を記録・再生し、ビデオ・サーバ制御部２１１、映像入出力部２１２、映像記録部２１３から構成される。
【００２１】
入出力モニタ２０１は、ビデオ・サーバ２１０に記録中の映像又は編集中の映像及び音声を出力する。
【００２２】
ユーザー・インターフェイス制御部２２０は、モーション・コントローラ２３０及びＧＵＩ２４０から入力された操作命令を制御し、ビデオ・サーバ２１０と連携して、コンピュータ・ディスプレイ上での編集作業を実現する。
【００２３】
モーション・コントローラ２３０は、画像編集等において必要な命令を操作員が入力し、必要となる映像及び音声の出力をユーザー・インターフェイス制御部２２０に出力する。
【００２４】
ＧＵＩ（グラフィカル・ユーザー・インターフェイス）２４０は、種々の操作命令をアイコン等の操作員が操作しやすい形式で提供し、入力された命令をユーザー・インターフェイス制御部２２０に出力する。
【００２５】
ビデオ・サーバ制御部２１１は、映像入出力部２１２及び映像記録部２１３と連携して、ユーザー・インターフェイス制御部２２０から要求された命令を実行し、映像及び音声を入出力モニタ２０１に出力する。
【００２６】
映像入出力部２１２は、入出力される映像及び音声の制御を実施する。
【００２７】
映像記録部２１３は、入力される映像及び音声の記録を制御する。
【００２８】
図３は、本発明の一実施形態にかかるビデオ再生システムのハードウエア構成図の一例を示す図である。当該ビデオ再生システムは、ビデオ編集をコンピュータ表示上で実施する表示システムであって、ビデオカメラ等の入力手段３０１と、ビデオ記録及び編集手段３１１、録画映像表示手段３１２及び編集映像表示手段３１３を含むビデオ再生装置３１０から構成される。ここで、前記表示手段３１２又は３１３の画面上でビデオ画像の編集が行われる。
【００２９】
図４は、本発明の一実施形態にかかる編集用画面の表示例である。ここで、当該編集用画面はＧＵＩであって、マーク点一覧表４１０、マーク点の画像４２０、マーク点検索欄４３０、入出力チャンネル切り替えボタン４４０等が配置される。また、再生、巻き戻しボタン等の命令入力用ボタン又はスライド・バー等が配置されても良い。前記画面の配置は、任意に設計することができる。
【００３０】
図５は、本発明の一実施形態にかかる映像表示手段の一例である。映像表示手段５００は、ＣＲＴ（ブラウン管）ディスプレイ、液晶ディスプレイ、プラズマ・ディスプレイ、有機ＥＬディスプレイ等従来型のいかなる表示装置を使用することができる。また、編集中の映像は、映像記録手段に接続された複数の映像表示手段に出力することも、１台の映像表示手段に出力することも可能である。接続される映像表示手段の数量及び器材の種類は、設置場所、輸送手段、機動性等本発明にかかるビデオ再生装置運用時に要求される諸条件に応じて選択可能である。前記映像表示手段が１台のみ使用される際は、表示画面を複数に分割して異なる映像を同時に表示することも、単一の映像のみを表示することもできる。図５の例では、放映中の画像５３０のほかに、別のカメラ１（５１０）及びカメラ２（５２０）並びに巻き戻し再生に供せられる映像５４０が１台の映像表示手段を、表示画面を分割した形式で表示している。ここで、これら分割された表示画面の表示位置は操作員によって任意に設定することができる。
【００３１】
図６は、本発明の一実施形態にかかるマーク点の表示例である。マーク点は映像を記録する間、自動的又は手動で適時付与され、それぞれのマーク点は番号６１０や時刻６２０により区別されるが、必ずしも連番である必要はない。マーク点は、１秒間に２５、３０又は６０フレーム画像に対して付与することができるが、前記フレーム画像の数に限定されるものではない。また、運用上は、１分間に数回から数十回、１時間で数十回から数百回付与される。図６には実際のマーク点の例が、６１１、６１２及び６１３で示されている。
【００３２】
図７は、本発明の一実施形態にかかるビデオ再生装置７１０における一実施例を示す機能ブロック図である。操作員がマーク点を指定し、再生を指示するとユーザー・インターフェイス７０１がビデオ再生要求受信手段７１１に受信される。次にサーバであるビデオ・データ記憶部７１３に対し、当該マーク点の映像のビデオ信号処理部７１４への出力と、ビデオ再生・逆再生実施手段１２へのビデオ再生・逆再生実施とが指示される。ビデオ再生・逆再生実施指示に従い、ビデオ再生・逆再生実施手段からビデオ・データ記憶部に対して、所定時間離れた位置の映像からマーク点までのビデオ信号がビデオ信号処理部７１４へ出力、処理され、ビデオ信号出力部７１５を経由してビデオ信号表示手段７０５において所定時間離れた位置の映像からマーク点までの画像が再生される。
【００３３】
図８は本発明の一実施形態にかかるビデオ再生装置における一実施例を示すフローチャートである。始めにステップ８１０ビデオ再生要求の入力の有無が判定される。ビデオ再生要求の入力が確認されると、ステップ８２０に移行する。また、ビデオ再生要求が入力されていないと判定された場合には、本ステップを終了する。
【００３４】
ステップ８２０では、入力されたビデオ再生要求に基づいて、時間軸上のどの画像を再生要求するかを決定するため、ビデオ再生位置が計算、要求された時刻より過去で直近のデータが抽出され、ステップ８３０に移行する。
【００３５】
ステップ８３０では、ビデオ再生位置より所定時間離れた点が計算され、ステップ８４０に移行する。
【００３６】
ステップ８４０では、ビデオ再生位置から前記所定時間離れた点までのビデオ・データがビデオ・データ記憶部から読み込まれ、ステップ８５０に移行する。
【００３７】
ステップ８５０では、読み込まれたビデオ・データが再生又は逆再生され、表示部に出力され、ステップ８６０へ移行する。
【００３８】
ステップ８６０では、操作員による中止命令の有無を判定し、中止命令がなければ、ステップ８５０において再生又は逆再生された映像が操作員の所望の映像であると判断され、ステップ８７０に移行する。また、中止命令がある場合には、再生又は逆再生された映像が操作員の所望の映像ではないと判断され、当該ステップを終了する。
【００３９】
ステップ８７０では、前記再生又は逆再生後ビデオ再生位置で再生を停止する。
【００４０】
図９は本発明の一実施形態にかかるビデオ再生装置における別の実施例を示すフローチャートである。始めにステップ９１０ビデオ再生要求の入力の有無が判定される。ビデオ再生要求の入力が確認されると、ステップ９２０に移行する。また、ビデオ再生要求が入力されていないと判定された場合には、本ステップを終了する。
【００４１】
ステップ９２０では、入力されたビデオ再生要求に基づいて、時間軸上のどの画像を再生要求するかを決定するため、ビデオ再生位置が計算、要求された時刻より過去で直近のデータが抽出され、ステップ９３０に移行する。
【００４２】
ステップ９３０では、ビデオ再生位置より所定時間離れた点が計算され、ステップ９４０に移行する。
【００４３】
ステップ９４０では、ビデオ再生位置から前記所定時間離れた点までのビデオ・データがビデオ・データ記憶部から読み込まれ、ステップ９５０に移行する。
【００４４】
ステップ９５０では、読み込まれたビデオ・データが再生又は逆再生され、表示部に出力され、ステップ９６０へ移行する。
【００４５】
ステップ９６０では、ビデオ再生位置と再生又は逆再生中の映像後時間軸上の差異を検出し、ステップ９７０に移行する。
【００４６】
ステップ９７０では、前記ステップ９６０で検出した差異に基づき、前記差異が小さくなるに連れて、再生・逆再生速度を変更し、ステップ９８０へ移行する。
【００４７】
ステップ９８０では、操作員による中止命令の有無を判定し、中止命令がなければ、ステップ９５０において再生又は逆再生された映像が操作員の所望の映像であると判断され、ステップ９９０に移行する。また、中止命令がある場合には、再生又は逆再生された映像が操作員の所望の映像ではないと判断され、当該ステップを終了する。
【００４８】
ステップ９９０では、前記再生又は逆再生後ビデオ再生位置で再生を停止する。
【００４９】
図１０は、本発明の一実施形態にかかるビデオ再生装置を用いたビデオ再生の原理の一実施例を示す概略図である。現時点Ｃ（１０５１）より過去の映像録画中、位置Ａ（１０１１）及び一定時間経過した位置Ｂ（１０２１）における映像にマーク点が付与されている。位置Ａにおける映像（１０１０）も、位置Ｂにある映像（１０２０）もよく似ているが、位置Ａに引き続く位置Ａ’（１０３１）の映像（１０３０）は画面からはみ出しており、位置Ｂに引き続く位置Ｂ’（１０４１）の映像（１０４０）は画面内におさまっている。ここで、位置Ａをキュー・アップすると、所定時間経過した位置Ａ’の映像から逆再生して位置Ａに戻る。同様に位置Ｂをキュー・アップすると、所定時間経過した位置Ｂ’の映像から逆再生して位置Ｂに戻る。前記操作により、所望の映像Ｂを確実にキュー・アップすることができる。
【００５０】
図１１は、図１０の概念を示す模式図である。マーク点Ａ（１１１０）及びＢ（１１３０）に対し、所定時間経過したＡ’（１１２０）及びＢ’（１１４０）の画像から各マーク点まで逆再生されることを示している。このような実施形態は、ある動作にマーク点を付与し、その後に結果としてイベントが起きる、スポーツ中継において有効である。
【００５１】
図１２は、図１１と逆の概念を示す模式図である。マーク点Ａ（１２２０）及びＢ（１２４０）に対し、所定時間遡ったＡ’（１２１０）及びＢ’（１２３０）の画像から各マーク点まで再生されることを示している。このような実施形態は、あるイベントにマーク点を付与し、当該イベント以前に因果関係が存在する、報道の生中継や監視活動において有効である。
【実施例１】
【００５２】
図１３は、本発明の一実施例における画面の表示例で、野球中継への応用の一例である。時間軸ｔ上でマーク点Ａ（１３１１）及びマーク点Ｂ（１３３１）を付与した投球画像（１３１０）及び（１３３０）は、区別がつかない。しかしながら、投球画像（１３１０）に続くイベントＡ’（１３２１）では打者はヒットを打ち（１３２０）、投球画像（１３３０）に続くイベントＢ’（１３４１）では三振が生じている（１３４０）。本発明によるビデオ再生装置により、マーク点をＡの位置に付与した場合は、Ａ’の位置からＡの位置まで逆再生、同様にマーク点をＢの位置に付与した場合は、Ｂ’の位置からＢの位置まで逆再生され、ヒットを打つ場面及び三振をする場面における投球映像が、それぞれ所望に応じて迅速にキュー・アップされる。
【実施例２】
【００５３】
図１４は、本発明の、本発明の別の実施例における画面の表示例で、バスケットボールのような動きの速いスポーツ中継への応用の一例である。時間軸ｔ上でマーク点Ａ（１４１１）及びマーク点Ｂ（１４３１）を付与したドリブル画像（１４１０）及び（１４３０）は、区別がつかない。しかしながら、ドリブル画像（１４１０）に続くイベントＡ’（１４２１）ではシュート（１４２０）が、ドリブル画像（１４３０）に続くイベントＢ’（１４４１）ではゴール下でのボールの取り合いが生じている（１４４０）。本発明によるビデオ再生装置により、マーク点をＡの位置に付与した場合は、Ａ’の位置からＡの位置まで逆再生、同様にマーク点をＢの位置に付与した場合は、Ｂ’の位置からＢの位置まで逆再生されるのは前記の実施例と同様である。しかしながら、逆再生開始位置（Ａ’又はＢ’）からマーク点（Ａ又はＢ）まで逆再生を行っている間に、逆再生されている画像がマーク点（Ａ又はＢ）に近づくにつれて、逆再生速度が低下することにより、操作員はマーク点が近いことを確認できる上、動きの速い映像を確実に認識することが可能になる。
【実施例３】
【００５４】
図１５は、本発明のさらに別の実施例における画面の表示例であって、工場、店舗、公共施設等における監視に関する一例を説明する。ＡＴＭ（現金自動預け払い機）（１５１０、１５３０）設置施設において、映像を記録しつつ継続監視を行う際、ＡＴＭの取引終了又はセンサー等により通常と相違する状況、例えばＡＴＭの故障、犯罪の発生等を感知した場合に、時間軸ｔ上の点Ａ（１５２１）の画像（１５２０）又は点Ｂ（１５４１）の画像（１５４０）にマーク点が付与される。操作員が前記通常と相違する状況を確認するために、マーク点Ｂの位置の画像を再生要求すると、逆再生開始位置Ｂ’からマーク点Ｂまでの画像が再生されるため、異常発生に至る経緯や利用者の人相、風体、挙動等を確認することが可能になる。なお、通常と相違する状況とは、前記ＡＴＭ施設における故障や犯罪の発生のほかに、閉店又は閉館後無人の施設への侵入、保全区画への入退室管理、工場における仕様と相違する製品の検出、火災、製造装置等の不具合等が含まれる。マーク点は、前記のようにある条件を満たさない場合に自動的に付与されても、監視員等の目視によって付加されてもよい。監視員の目視によりマーク点が付与されない場合には、人感センサー、温度センサー、流量センサー、成分等の濃度センサー、重量センサー、形状認識センサー等のセンサーにより、あらかじめ定めた規格を満たさない場合に、記録中の映像上に自動的にマーク点が付与される。後刻、当該マーク点に至る経緯を確認する際、所定時間遡った時点の映像からマーク点までの映像が再生される。マーク点が複数存在する場合には、それぞれのマーク点におけるイベントに対する因果関係を迅速に把握することができる。
【００５５】
以上、本発明の実施形態について説明したが、本発明は上述した実施形態に限定されるものではない。また、本発明の実施形態に記載された効果は、本発明から生じる最も好適な効果を列挙したものに過ぎず、本発明による効果は、本発明の実施例に記載されたものに限定されるものではない。
【符号の説明】
【００５６】
１１０  映像記録手段
１２０  映像表示手段
１３０  編集制御手段
１８０  編集用コンピュータ
３０１  入力手段
３１１  記録・編集手段
３１２  表示手段
３１３  表示手段
７１０  ビデオ再生装置
７１１  ビデオ再生要求受信手段
７１２  ビデオ再生・逆再生実施手段
７１３  ビデオ・データ記憶部
７１４  ビデオ信号処理部
７１５  ビデオ信号出力部
【図１】
2010539746.tif 000003
【図２】
2010539746.tif 000004
【図３】
2010539746.tif 000005
【図４】
2010539746.tif 000006
2010539746.tif 000007
【図５】
2010539746.tif 000008
【図６】
2010539746.tif 000009
【図７】
2010539746.tif 000010
【図８】
2010539746.tif 000011
【図９】
2010539746.tif 000012
【図１０】
2010539746.tif 000013
【図１１】
2010539746.tif 000014
【図１２】
2010539746.tif 000015
【図１３】
2010539746.tif 000016
【図１４】
2010539746.tif 000017
【図１５】
2010539746.tif 000018
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
（ａ）所定のビデオ再生位置からのビデオ再生要求を受信する手段と、
（ｂ）前記ビデオ再生要求を受信した場合に、前記所定のビデオ再生位置より所定時間離れた位置から前記所定のビデオ再生位置まで、ビデオを所定の速度で再生又は逆再生を行う手段と、
を備え、
前記所定時間離れた位置が、前記所定のビデオ再生位置より所定時間遡った位置であり、前記所定のビデオ再生位置までビデオを所定の速度で再生を行い、
前記所定の速度で行われる再生又は逆再生が、映像再生速度の変化による高速再生又は高速逆再生である、ビデオ再生装置。
【請求項２】
（ａ）所定のビデオ再生位置からのビデオ再生要求を受信する手段と、
（ｂ）前記ビデオ再生要求を受信した場合に、前記所定のビデオ再生位置より所定時間離れた位置から前記所定のビデオ再生位置まで、ビデオを所定の速度で再生又は逆再生を行う手段と、
を備え、
前記所定時間離れた位置が、前記所定のビデオ再生位置より所定時間遡った位置であり、前記所定のビデオ再生位置までビデオを所定の速度で再生を行い、
前記所定の速度で行われる再生又は逆再生が、再生画像の間引きによる高速再生又は高速逆再生である、ビデオ再生装置。
【請求項３】
（ａ）所定のビデオ再生位置からのビデオ再生要求を受信する手段と、
（ｂ）前記ビデオ再生要求を受信した場合に、前記所定のビデオ再生位置より所定時間離れた位置から前記所定のビデオ再生位置まで、ビデオを所定の速度で再生又は逆再生を行う手段と、
を備え、
前記所定の速度が、前記所定のビデオ再生位置と再生中のビデオ再生位置又はビデオ逆再生位置との差に応じて変化する、ビデオ再生装置。
【請求項４】
（ａ）所定のビデオ再生位置からのビデオ再生要求を受信する手段と、
（ｂ）前記ビデオ再生要求を受信した場合に、前記所定のビデオ再生位置より所定時間離れた位置から前記所定のビデオ再生位置まで、ビデオを所定の速度で再生又は逆再生を行う手段と、
を備え、
前記所定の速度が、前記所定のビデオ再生位置と再生中のビデオ再生位置又はビデオ逆再生位置との差が小さくなるにつれて遅くなる、ビデオ再生装置。
【国際調査報告】
2010539746.tif 000019
2010539746.tif 000020
2010539746.tif 000021